(57)【要約】【課題】しなりやがたつきが抑えられた堅牢な寝台装置を提供する。【解決手段】支持架台１０と、支柱と、寝台フレームと、伸縮可能なダンパー５４を含む連結機構３０と、を備え、前記寝台フレームと前記連結機構は回動可能に接続され、前記ダンパーは、前記寝台フレームと前記連結機構との間にあり、前記ダンパーの伸縮により、前記寝台フレームが傾斜するように、前記支柱と前記寝台フレームとが連結されている。【選択図】図２
2020022837.tif 000002
【特許請求の範囲】
【請求項１】
支持架台と
支柱と、
寝台フレームと、
伸縮可能なダンパーを含む連結機構と、
を備え、
前記寝台フレームと前記連結機構は回動可能に接続され、
前記ダンパーは、前記寝台フレームと前記連結機構との間にあり、
前記ダンパーの伸縮により、前記寝台フレームが傾斜するように、前記支柱と前記寝台フレームとが連結されている、寝台装置。
【請求項２】
前記ダンパーが伸び、前記寝台フレームが水平となったときに、前記連結機構の少なくとも一部の上面と寝台フレームの短手下面が接する、請求項１記載の寝台装置。
【請求項３】
前記ダンパーが縮み、前記寝台フレームが傾斜しているときに、前記連結機構の少なくとも一部の上面と寝台フレームの短手下面が離れる、請求項１又は請求項２記載の寝台装置。
【発明の詳細な説明】
【技術分野】
【０００１】
本発明は、寝台装置に関する。
【背景技術】
【０００２】
乳児を寝かせるための従来の寝台装置である小児用ベッドとしては、例えば下記特許文献１に示すようなものが知られている。この小児用ベッドは、支持架台と、同支持架台上に支持されるとともに人体が載置される寝台とを備えている。支持架台は脚部及び車輪を備えており、必要に応じて作業者が手押しすることで移動可能とされている。
【先行技術文献】
【特許文献】
【０００３】
【特許文献１】特開平８−２８９８３０号公報
【発明の概要】
【発明が解決しようとする課題】
【０００４】
ところで、前記従来の小児用ベッドにおいては、新生児用ベッドに用いられている一本支柱の支持架台の採用が望まれていた。このような一本柱の支持架台を採用した場合、小児用ベッド下方に広めの空間が確保出来る上にこの空間内へのアクセスが容易であるので有効活用が可能であるという利点がある。
しかしながら、新生児よりも体重が重い乳児を支える場合、一本柱の支持架台をそのまま採用しただけでは、寝台にしなりやがたつきが生じ、寝ている乳児が落ち着かず寝付けないという問題が生じ得る。
【０００５】
本発明は、前述した事情に鑑みてなされたものであって、しなりやがたつきが抑えられた堅牢な寝台装置の提供を目的とする。
【課題を解決するための手段】
【０００６】
本発明は、上記課題を解決して係る目的を達成するために以下の手段を採用している。
（１）支持架台と、支柱と、寝台フレームと、伸縮可能なダンパーを含む連結機構と、を備え、前記寝台フレームと前記連結機構は回動可能に接続され、前記ダンパーは、前記寝台フレームと前記連結機構との間にあり、前記ダンパーの伸縮により、前記寝台フレームが傾斜するように、前記支柱と前記寝台フレームとが連結されている。
上記（１）に記載の寝台装置によれば、寝台の自重及び寝台に加えられる荷重の双方を、構造的に剛性が高い枠体によって支える構造であるため、前記自重及び前記荷重を支持架台のみで直接受ける場合に比べて、寝台のしなりやがたつきを抑えることができる。
【０００７】
（２）上記（１）に記載の寝台装置において、前記ダンパーが伸び、前記寝台フレームが水平となったときに、前記連結機構の少なくとも一部の上面と寝台フレームの短手下面が接するようにしてもよい。
上記（２）の場合、ダンパーが伸び、寝台フレームが水平となったときに、連結機構の少なくとも一部の上面と寝台フレームの短手下面が接するので、寝台の自重や寝台に加えられる荷重にを確実に支持することができる。
【０００８】
（３）上記（１）または（２）に記載の寝台装置において、前記ダンパーが縮み、前記寝台フレームが傾斜しているときに、前記連結機構の少なくとも一部の上面と寝台フレームの短手下面が離れてもよい。
【発明の効果】
【０００９】
本発明の上記各態様によれば、しなりやがたつきが抑えられた堅牢な寝台装置を提供することが可能となる。
【図面の簡単な説明】
【００１０】
【図１】本発明の一実施形態に係る寝台装置である小児用ベッドの斜視図である。
【図２】同小児用ベッドの支持架台及び連結機構の構造を説明するための斜視図である。
【図３】同小児用ベッドにおける寝台の構成要素である下部フレームの斜視図である。
【図４】同小児用ベッドの連結機構の斜視図である。
【図５】同小児用ベッドの連結機構における傾動機構を示す図であって、図２のＡ−Ａ断面図である。
【図６】同小児用ベッドの寝台に対して加えられた局所的な荷重を連結機構の枠体で受け止めている状態を説明する図であって、下部フレームの長手方向一方の半分と枠体とを示す概略平面図である。
【図７】図６と同じ図であって、下部フレームのフレーム材の中央に局所的な荷重が加えられた場合を示す概略平面図である。
【図８】同小児用ベッドの寝台に対して加えられた局所的な荷重を連結機構の枠体で受け止めている状態を説明する図であって、下部フレームの長手方向他方の半分と枠体とを示す概略平面図である。
【図９】図８と同じ図であって、下部フレームのフレーム材の中央に局所的な荷重が加えられた場合を示す概略平面図である。
【発明を実施するための形態】
【００１１】
本発明の一実施形態に係る寝台装置である小児用ベッドを、図面に基づいて以下に説明する。図１〜図３において、矢印Ｈは人体（乳児）を載せる際に頭部側となる向きを示し、また矢印Ｆは人体を乗せる際に脚部側となる向きを示している。以下の説明においては、矢印Ｈ側を前方、矢印Ｆ側を後方、矢印Ｈ，Ｆの方向に対して直交する水平方向を左右と言う場合が有る。
図１の斜視図に示すように、本実施形態の小児用ベッドは、一本支柱の支持架台１０と、支持架台１０上に支持されるとともに人体（不図示）が載置される寝台２０と、支持架台１０及び寝台２０間を連結する連結機構３０と、を備えている。
【００１２】
図２に示すように、支持架台１０は、一対の脚部１１と、これら脚部１１間に挟み込まれた状態で立脚する一本支柱である昇降台１２と、各脚部１１の各先端に回動自在に取付けられたキャスター１３と、を備えている。
各脚部１１は、それぞれ、水平方向に沿って直線的に延在する直線部１１ａと、この直線部１１ａの両端より平面視して湾曲した湾曲部１１ｂと、この湾曲部１１ｂに連なって直線的に延在する脚先端部１１ｃと、この脚先端部１１ｃの末端に溶接固定されたキャスター取付け部１１ｄと、を備えている。これら一対の脚部１１を平面視した場合、直線部１１ａは互いに平行をなし、湾曲部１１ｂは互いに離間する方向に曲がっており、そして脚先端部１１ｃはさらに互いに離間する方向に延在している。
そして、各脚部１１が上述のような形状を有しているため、図２のハッチングに示す領域Ｃ１〜Ｃ４に空き空間が形成されており、小児用ベッドを取り扱う作業者の足等との干渉を防いだり、必要に応じて各種医療機器（不図示）を配置したりすることが可能となっている。本実施形態の小児用ベッドは一本支柱の支持架台１０を備えているため、寝台２０の下方空間へのアクセスが容易な構造となっている。
【００１３】
なお、直線部１１ａはその長手方向中央位置において分断されているのではなく、後述のゴムカバー１２ｃによりその中央の一部分が覆われている。よって、各脚部１１は、一方の脚先端部１１ｃから湾曲部１１ｂ及び直線部１１ａ及び他の湾曲部１１ｂを経て他方の脚先端部１１ｃに至るまで、それぞれ一本の長尺板部材を水平方向の２箇所で曲げ加工して得られた一体品を主要構成要素としており、この一体品の両端に前記キャスター取付け部１１ｄが溶接固定されている。
また、各キャスター取付け部１１ｄの上端には、その開口部を覆うゴム栓１１ｄ１が嵌め込まれており、このゴム栓１１ｄ１を外した場合には、開口部に点滴棒（不図示）を差し込んで支持具として用いることが可能となっている。
【００１４】
図２に示すように、昇降台１２は、前記一対の直線部１１ａ間に挟まれてかつ鉛直方向に延在するように溶接固定された角パイプ形状の台座部１２ａと、この台座部１２ａ内に同軸かつ鉛直方向に昇降自在に挿入された昇降部１２ｂと、これら台座部１２ａ及び昇降部１２ｂ間に設けられたガススプリング（不図示）と、昇降部１２ｂの昇降動作を許可及び禁止する昇降レバー（不図示。昇降レバーは、後述の枠体４０に対して取付けられている）と、台座部１２ａ及び前記一対の直線部１１ａ間の溶接箇所を覆うゴムカバー１２ｃとを備えている。
台座部１２ａは、その下端が前記一対の直線部１１ａの各下縁よりも下方に突出するように固定されている。このようにして台座部１２ａの高さ位置を下げることにより、重心位置を下げて安定性をより高めることが可能となる。
【００１５】
前記ガススプリングは、台座部１２ａに対して昇降部１２ｂを鉛直上方向に向かって相対的に付勢しているが、作業者が前記昇降レバーを操作していない状態では、昇降部１２ｂの昇降動作がロックされている。一方、作業者が前記昇降レバーを操作してロックを解除した場合には、前記ガススプリングによる付勢力を受けて昇降部１２ｂが鉛直上方に向かって緩やかに上昇する。また、作業者が前記昇降レバーを操作してロックを解除した状態で寝台２０を鉛直下方に向かって押し込んだ場合には、昇降部１２ｂが鉛直下方に向かって緩やかに下降する。このように、作業者が昇降レバーを操作してロックを解除した状態で寝台２０を上下動させ、寝台２０が適切な高さ位置に至った時点で作業者が前記昇降レバーを操作してロックをかけることにより、寝台を所望の高さ位置に設定することが出来る。なお、前記昇降レバーは、枠体４０を間にして左右両方に設けられており、寝台２０の左右どちらからでも操作可能となっている。
【００１６】
昇降部１２ｂは、台座部１２ａよりも細い角パイプ形状をなしており、その上端部に、後述の枠体をボルト固定するための受け板（不図示）が溶接固定されている。なお、前記受け板を省略して、昇降部１２ｂの上端部に直接、ボルト穴を複数設けてもよい。いずれの場合も、例えばボルト穴を４箇所設ける場合には、これらボルト穴が前後左右方向に１箇所ずつ並べられて正方形をなすように配置することが好ましい。
【００１７】
キャスター１３は、前記各キャスター取付け部１１ｄのそれぞれに対して鉛直軸線回りに回転自在に取付けられた回転軸（不図示）と、この回転軸に対して取付けられた車輪１３ａと、この車輪１３ａの回転を許可又はロックするストッパ１３ｂとを備えている。
【００１８】
図１に示すように、寝台２０は、下部フレーム２１と、下部フレーム２１上に支持固定された寝台板（不図示）と、平面視した場合に前記寝台板の四辺周囲を囲むとともに下部フレーム２１上に固定された上部フレーム（不図示）と、この上部フレームの四辺それぞれに対して起立した状態で取付けられた側壁２４と、前記寝台板上に載置されるマットレス（不図示）とを備えている。
【００１９】
図３に示すように、下部フレーム２１は、前後方向に沿って延在する一対の角パイプであるフレーム材２１ａと、これらフレーム材２１ａの前方側の端部間を連結するフレーム材２１ｂと、各フレーム材２１ａの後方側の端部間を連結するフレーム材２１ｃと、各フレーム材２１ａの長手方向途中の２箇所において、各フレーム材２１ａ間を連結する２本の角パイプである補強フレーム材２１ｄ，２１ｅとを備えている。
【００２０】
一対のフレーム材２１ａとフレーム材２１ｂ，２１ｃとにより、平面視して前後方向に長い長方形状の枠体を構成している。そして、この枠体の長手方向の途中２箇所において、補強フレーム材２１ｄ，２１ｅが前記枠体内に溶接固定されることで、前記枠体をその内側から補強している。なお、補強フレーム材２１ｄ，２１ｅのうち、一方の補強フレーム材２１ｄは、前記枠体を平面視した場合に同枠体の長手方向の中央位置よりも前方側に配置され、また他方の補強フレーム材２１ｅは前記中央位置よりも後方側に配置されている。
下部フレーム２１の各構成要素のうち、一対のフレーム材２１ａ及び補強フレーム材２１ｄ，２１ｅは角パイプからなる一方、フレーム材２１ｂ，２１ｃは、長尺の板材を折り曲げ加工したプレス成形品である。そして、フレーム材２１ｂ，２１ｃと、補強フレーム材２１ｄ，２１ｅとのそれぞれの一方の端部が、一方のフレーム材２１ａの側面に対して垂直をなすように溶接固定され、また他方の端部が、他方のフレーム材２１ａの側面に対して垂直をなすように溶接固定されている。
図３及び図５に示すように、補強フレーム材２１ｅの長手方向中央位置の側面には、後述のガススプリング５４ａを取付けるための軸受け２１ｅ１が溶接固定されている。
【００２１】
前記寝台板は、多数の穴空け加工を施した薄い樹脂板であり、下部フレーム２１上に載せられた状態で、下部フレーム２１に対してプッシュリベット（不図示）で固定されている。すなわち、前記寝台板は、一対のフレーム材２１ａと、フレーム材２１ｂ，２１ｃと、補強フレーム材２１ｄ，２１ｅとにより支持されており、なおかつフレーム材２１ｂ，２１ｃのそれぞれに対して前記プッシュリベットで固定されている。
前記マットレスは、前記寝台板の上面に載せられるクッション材であり、平面視した場合に前記寝台板の上面と同じ長方形状を有し、なおかつ適度な柔らかさを持つ内部素材と、この内部素材の周囲を覆うとともに清掃しやすく破れにくい表面素材とを備えている。
【００２２】
前記上部フレームは、四角枠形状をなしており、その枠内に前記マットレスを収容及び保持するための収容空間が形成されている。そして、この上部フレーム内に前記マットレスを収容した状態では、上部フレームの上面高さが、前記マットレスの上面の高さと略同じになっている。また、この上部フレームには、小児用ベッドを作業者が手押しするための把持部と、側壁２４を起立状態または下方に倒した状態に保持可能な回動部と、が備えられている。
側壁２４は、例えば透明なアクリル板からなり、前記上部フレームの四辺それぞれに一枚ずつが着雑可能に取付けられている。
【００２３】
図２に示すように、連結機構３０は、前記支持架台１０の昇降部１２ｂに設けられた前記受け板に対してボルト固定された枠体４０と、この枠体４０に対して、前記寝台２０を傾動自在に連結及び支持する傾動機構５０と、を備えている。
図４に示すように、枠体４０は、前後方向に沿って延在する一対の縦枠材４１と、これら縦枠材４１の前方側に挟み込まれた状態で溶接固定された横枠材４２と、各縦枠材４１の後方端部に対して溶接固定された横枠材４３と、を備えている。
【００２４】
前記一対の縦枠材４１は、金属板を折り曲げ加工することでその長手方向に垂直な断面がコ字状となるように形成された棒状部品であり、互いに平行かつ両者間に所定間隔を空けた状態で、さらに前記コ字状断面の開口が鉛直方向下方を向くように配置されている。
また、各縦枠材４１の前方側上面には、寝台２０を傾斜させずに平置きした場合に、寝台２０の下面に当接する緩衝材４１ａが一つずつ設けられている。これら緩衝材４１ａは、縦枠材４１の上面に対して寝台２０の下面が直接当たって支える受け材として機能する。
【００２５】
横枠材４２は、四角形の金属板のうちの互いに対向する一対の側縁部分を同一方向に折り曲げ加工した板部品であり、底部４２ａと、この底部４２ａの前後方向両側縁より鉛直方向上方に向かって起立する鉛直部４２ｂ，４２ｃと、を備えている。
底部４２ａは、前記昇降部１２ｂの受け板に対してボルト固定するためのボルト穴ｈが複数形成されている。これらボルト穴ｈは、前記昇降部１２ｂの受け板に設けられたボルト穴と同一配置とされている（例えば４箇所形成する場合には、４つのボルト穴ｈが平面視して前後左右方向に１つずつ並べられて正方形をなすように配置する）。
【００２６】
さらに、底部４２ａには、その一部を切り欠いて折り曲げて起立させた軸受け板４２ａ１が４箇所形成されている。これらのうち、底部４２ａを平面視して右側にある２つの軸受け板４２ａ１で一対、左側にある２つの軸受け板４２ａ１でさらに一対、合計２対の軸受けを構成している。そして、右側にある一対の軸受け板４２ａ１に対して前記昇降レバーの一方を回動自在に取付けるとともに、左側にある一対の軸受け板４２ａ１に対して前記昇降レバーの他方を回動自在に取付ける。なお、縦枠材４１の下部に形成されている切り欠きには、前記昇降レバーが通されるようになっている。
【００２７】
前記鉛直部４２ｂ，４２ｃの右側の各端部は、右側にある縦枠材４１の内側面に対して垂直に突き当てた状態で溶接固定されている。また、鉛直部４２ｂ，４２ｃの左側の各端部は、左側にある縦枠材４１の内側面に対して垂直に突き当てた状態で溶接固定されている。
なお、横枠材４２の機械強度を上げてさらに枠体４０の剛性を高めるために、図４に示すような一対の補強部材４２ｘを溶接固定してもよい。この補強部材４２ｘとしては、例えば、金属板を折り曲げ加工して断面視コ字状かつ前後方向に延在する部品を採用することが出来る。また、このような補強部材４２ｘとしては、前記鉛直部４２ｂ，４２ｃと同じ高さ寸法に揃えることがより好ましい。さらに、この補強部材４２ｘの溶接固定に際しては、前記各縦枠材４１と平行をなすとともに、前記各ボルト穴ｈの上方を覆わない位置に配置した上で、鉛直部４２ｂ，４２ｃの各内側面と、底部４２ａの上面とに対して溶接固定するとよい。
【００２８】
横枠材４３は、左右方向に延在する角パイプであり、その各端部には後述の傾動軸受け５１が溶接固定され、また、その長手方向中央位置でかつ横枠材４１に面した側の側面には後述の支持金具５２が溶接固定されている。
横枠材４３の延在方向２箇所に対し、前記一対の縦枠材４１の後端部側が突き当てられた状態で溶接固定されている。その結果、この横枠材４３は、一対の縦枠材４１及び横枠４１と共に、四角枠を構成している。この四角枠は所定の高さ寸法を備えているため、四角枠の面内方向に沿った外圧負荷に対して強固であるのみならず、四角枠をその厚み方向に捻るような外圧負荷に対しても変形することがない、十分な機械強度を確保している。
横枠材４３は、一対の傾動軸受け５１（連結部材）を介して前記一対のフレーム材２１ａ間を連結しており、前記補強フレーム材２１ｄ，２１ｅと同様の補強効果を発揮している。すなわち、横枠材４３の長さを、前記四角枠よりはみ出した延長部４３ｃを確保するように長めにしているので、横枠材４３は、前記四角枠の強度部材として用いられることに加えて、下部フレーム２１の剛性を高める強度部材としての役目も兼ねている。
【００２９】
図５に示すように、傾動機構５０は、枠体４０に対して寝台２０を傾動自在に連結する金具である傾動軸受け５１と、枠体４０に対して鉛直下方に延在するように上端が溶接固
定された支持金具５２と、一端が支持金具５２の下端５２ａに対して回動自在に連結されるとともに他端が下部フレーム２１の前記軸受け２１ｅ１に対して回動自在に連結され、傾動軸受け５１を中心として寝台２０の下部フレーム２１が傾動する際に前記傾動に追従して伸縮するダンパー５４と、ダンパー５４の伸縮を許可及び規制する傾動操作部５５と、を備えている。
【００３０】
傾動軸受け５１は、金属板であり、前記横枠材４３の両端のそれぞれに１枚ずつ固定されている。傾動軸受け５１は、横枠材４３の端部に溶接固定された固定部５１ａと、この固定部５１ａより斜め上方に延在するとともにボルト穴５１ｂ１が形成された回動軸連結部５１ｂと、を備えている。
なお、図５に示すように、ボルト穴５１ｂ１は、横枠材４３に対して前方側かつ鉛直方向上側にずれた位置であって、しかも前記下部フレーム２１のフレーム材２１ａに形成されたボルト穴（不図示）と重なる位置に形成されている。そして、ボルト穴５１ｂ１と、前記フレーム材２１ａに形成されたボルト穴とを重ね合わせた上で、両者に対して水平方向にボルトを通して締結している。しかも、傾動軸受け５１に対して前記ボルトを軸体として前記フレーム材２１ａが回動自在とされているので、下部フレーム２１を含む寝台２０の全体が、連結機構３０を介して、支持架台１０に対して傾動可能となっている。寝台２０が平置きの状態から傾動させる場合は、一対のボルト穴５１ｂ１間を結ぶ仮想直線ＣＬ（図１参照）を回転軸線として、寝台２０の後方側が下がるとともに前方側が上がる方向に傾動する。一方、寝台２０を傾斜状態から平置き状態に戻した場合には、下部フレーム２１の補強フレーム材２１ｄが枠体４０の緩衝材４１ａに当接して動作を止めるので、平置き状態の位置よりも前方側が下方に下がることが禁止されている。
【００３１】
図５に示す支持金具５２は、互いに対向する一対の三角板５２ｘを備えている。これら三角板５２ｘのそれぞれが、前記枠体３０の横枠材４３の内側面に対して溶接固定されている。そして、一対の三角板５２ｘ間に、ダンパー５４の一部が挿通可能な隙間が形成されている。なお、各三角板５２ｘは略逆三角形状をなしており、上端から下端にかけて先細りとなっている。さらに、各三角板５２ｘの下端には、その板厚方向に貫く貫通孔５２ｙが形成されており、しかもこれら一対の貫通孔５２ｙは同軸をなしている。
【００３２】
図５に示すように、ダンパー５４は、ガススプリング５４ａと、このガススプリング５４ａの上端を前記軸受け２１ｅ１に対して回動自在に連結する上側連結部５４ｂと、ガススプリング５４ａのシャフトの下端を前記支持金具５２の貫通孔５２ｙに対して回動自在に連結する下側連結部５４ｃと、を備えている。
また、ダンパー５４には、前記傾動操作部５５が一体に設けられている。この傾動操作部５５は、ガススプリング５４ａの側方に回動自在に設けられた金属製のレバー５５ａと、このレバー５５ａの先端に固定された樹脂製の手掛け部５５ｂとを備えている。レバー５５ａは、ガススプリング５４ａの上端より後方側に向かって延在しているため、手掛け部５５ｂが寝台２０真下の後方端寄りに配置される。よって、手掛け部５５ｂへのアクセスが容易となるので、作業者が傾動操作部５５を容易に操作することが可能となる。
【００３３】
以上説明の構成を有する本実施形態の小児用ベッドによれば、寝台２０の自重及び寝台２０に載せられた乳児の体重の双方を、構造的に剛性が高い枠体４０によって支える構造であるので、前記自重及び前記体重を例えば前記昇降台１２だけで直接受ける場合に比べて、寝台２０のしなりやがたつきを抑えることができる。しかも、寝台２０自体の骨格構造が従来構造であっても適用可能である。したがって、本実施形態によれば、しなりやがたつきが抑えられた堅牢な小児用ベッドを提供することが可能となる。
【００３４】
上記効果について、図６〜図９を用いてより詳しく説明する。なお、図６〜図９は、何れも、下部フレーム２１が傾斜していない平置き状態を示す部分平面図であり、図６，７
が下部フレーム２１の後方側を示し、図８，９が下部フレーム２１の前方側を示している。また、図６〜図９において、黒矢印が局所的な荷重の作用点を示す一方、白矢印が前記荷重を主に受け止めている点での反力を示している。
【００３５】
例えば、図６に示すように、下部フレーム２１の後方側左角部に対してその上方から下向きの荷重が加わった場合（黒矢印参照）、この荷重は、主に、枠体４０の紙面左下角部と、ダンパー５４とにより支えられる（白矢印参照）。そして、ダンパー５４は支持金具５２を介して枠体４０の横枠材４３により支えられているため、結局は枠体４０で全ての荷重を受け止めることになる。そして、枠体４０は上述の通り高い剛性を具備していて殆ど変形しないので、前記荷重を確実に受け止めることができる。したがって、剛性が高く殆ど変形しない枠体４０に向かって荷重が伝搬するように、フレーム材２１ａ，２１ｃ、補強フレーム材２１ｅ、ダンパー５４、そして支持金具５２が構成されているので、下部フレーム２１のしなりやがたつきを抑制することが可能となっている。
【００３６】
続いて、例えば、図７に示すように、フレーム２１ｃの中央位置に対してその上方から下向きの荷重が加わった場合（黒矢印参照）、この荷重は、主に、枠体４０の紙面左右角部と、ダンパー５４とにより支えられる（白矢印参照）。そして、ダンパー５４で受け止めた荷重は、前述と同様に横枠材４３で支えられているため、結局は剛性の高い枠体４０で全ての荷重を受け止めることになる。したがって、下部フレーム２１のしなりやがたつきを抑制することが可能となっている。
【００３７】
続いて、例えば、図８に示すように、下部フレーム２１の前方側角部に対してその上方から下向きの荷重が加わった場合（黒矢印参照）、この荷重は、枠体４０の４つの角部により支えられる（白矢印参照）。より具体的に言うと、紙面左上角部においては鉛直上方に向かう第１の反力が発生し、また紙面右上角部においては前記第１の反力よりも小さいが同じく鉛直上方に向かう第２の反力が発生する。さらに、紙面右下角部においては鉛直下方に向かう第３の反力が発生し、また紙面左下角部においては前記第３の反力よりも小さいが同じく鉛直下方に向かう第４の反力が発生する。
このように、下部フレーム２１の前方側角部に加わった荷重は全て枠体４０に伝えられるが、枠体４０は上述の通り高い剛性を具備していて殆ど変形しないので、前記荷重を確実に受け止めることができる。したがって、剛性が高く殆ど変形しない枠体４０に向かって荷重が伝搬するように、フレーム材２１ａ，２１ｂおよび補強フレーム材２１ｄが構成されているので、下部フレーム２１のしなりやがたつきを抑制することが可能となっている。
【００３８】
さらに、例えば、図９に示すように、下部フレーム２１の前方側中央部に対してその上方から下向きの荷重が加わった場合（黒矢印参照）も、この荷重が枠体４０の４つの角部により支えられる（白矢印参照）。より具体的に言うと、紙面左上角部及び紙面右上角部においては鉛直上方に向かう反力が発生し、また紙面左下角部及び紙面右下角部とにおいては鉛直下方に向かう反力が発生する。
このように、下部フレーム２１に加えられた荷重を枠体４０に伝搬して支えるように、フレーム材２１ａ，２１ｂおよび補強フレーム材２１ｄが構成されているので、下部フレーム２１のしなりやがたつきを抑制することが可能となっている。
【００３９】
以上に説明したように、本実施形態の小児用ベッドによれば、寝台２０の何れの箇所に局所的な荷重が加わっても、下部フレーム２１のしなりやがたつきを抑制することが出来る。よって、寝台２０に寝かせた乳児が寝返りなどすることによって寝台２０上の荷重作用箇所が動いても、寝台２０にしなりやがたつきが生じず、乳児は安らかに寝付くことができる。
【００４０】
さらに、本実施形態によれば、下記の効果を得ることも可能としている。
すなわち、本実施形態では、前記傾動機構５０が、枠体４０に対して寝台２０を傾動自在に連結する傾動軸受け５１と、枠体４０に対して鉛直下方に延在するように上端が固定された支持金具５２と、一端が支持金具５２の下端に対して回動自在に連結されるとともに他端が寝台２０に対して回動自在に連結され、傾動軸受け５１の軸線回りに寝台２０が傾動する際に前記傾動に追従して伸縮するダンパー５４と、ダンパー５４の伸縮を許可及び規制する傾動操作部５５と、を備えている。
この構成によれば、高い枠体４０より鉛直下方に延びる支持金具５２の下端に対してダンパー５４の一端を連結する構造であるので、寝台２０の下面に対するダンパー５４の取付け角度（図５の角度α）を大きめに確保することが出来る。よって、ダンパー５４が寝台２０をその下面から確実に支えることが可能となる。
【００４１】
また、本実施形態では、枠体４０の一部である横枠材４３が、枠外に向かって延在するとともに、寝台２０の骨格をなす下部フレーム２１の一部を兼ねている。この構成によれば、剛性の高い枠体４０の一部により寝台２０の骨格を補強することができるので、寝台２０の剛性をより高めることが可能となる。
【００４２】
また、本実施形態では、寝台２０が、（１）平置き状態では、寝台２０の自重が、枠体４０の上面の一部と、傾動軸受け５１と、ダンパー５４及び支持金具５２とにより、枠体４０に対して付与され、（２）傾斜状態では、寝台２０の自重が、傾動軸受け５１と、ダンパー５４及び支持金具５２とにより、枠体４０に対して付与される。この構成によれば、平置き状態及び傾斜状態の何れにおいても、寝台２０の自重、さらには寝台２０に加えられる荷重を枠体４０で受け止めることができる。
さらに、枠体４０内に補強部材４２ｘを設けた場合には、枠体４０の剛性をより高めることができるので、この枠体４０で支えられる寝台２０のしなりやがたつきをより確実に抑えることが可能となる。
【００４３】
なお、本発明の技術的範囲は前記実施形態のみに限定されるものではなく、本発明の趣旨を逸脱しない範囲において種々の変更を加えることが可能である。
例えば、前記枠体４０の形状として平面視矩形状を採用したが、前後方向又は左右方向に長い長方形を採用してもよい。さらには、平面視円形、平面視楕円形、平面視三角形、平面視多角形など、平面視して閉じた枠状であればその他の形状を採用してもよい。
また、補強フレーム材２１ｄ，２１ｅの配置箇所や本数等は、必要に応じて適宜変更することが可能である。
また、上記実施形態では、支持架台１０にキャスター１３を備えて走行可能としたが、この構成のみに限らず、キャスター１３を備えずに床面に据え付ける構成にも本発明は採用可能である。
【符号の説明】
【００４４】
１０    支持架台
２０    寝台
３０    連結機構
４０    枠体
４２ｘ    補強部材
４３    横枠材（枠体の一部）
５０    傾動機構
５１    傾動軸受け（連結部材）
５２    支持金具
５４    ダンパー
５５    傾動操作部
【図１】
2020022837.tif 000003
【図２】
2020022837.tif 000004
【図３】
2020022837.tif 000005
【図４】
2020022837.tif 000006
【図５】
2020022837.tif 000007
【図６】
2020022837.tif 000008
【図７】
2020022837.tif 000009
【図８】
2020022837.tif 000010
【図９】
2020022837.tif 000011